(57)【特許請求の範囲】
【請求項１】
前下がりに下方を向く傾斜面を有し、当該引出しの枠体に上下動可能に保持されたカム体と、
前記カム体を上昇方向へ常時付勢する弾発手段と、
前記カム体に連動連結されたペダルと、
当該引出しの全閉状態時に前記傾斜面の下端部に当接すべく当該引出しを前後動可能に支持するキャビネット本体に移動不能に設けられた摺接体とを有し、
前記ペダルを踏み込んで前記付勢手段に抗して前記カム体を押し下げると前記傾斜面に対する前記摺接体の当接位置が変化することで当該引出しが押し出されるようにしたことを特徴とするキャビネットの引出し。
【請求項２】
前記カム体は当該引出しの左右両側面に設けられ且つ連結部材によって互いに連結されており、
前記ペダルは前記連結部材に設けられることを特徴とする請求項１に記載のキャビネットの引出し。
【請求項３】
前下がりに上方を向く傾斜面を有し、当該引出しを前後動可能に支持するキャビネット本体に移動不能に設けられたカム体と、
当該引出しの全閉状態時に前記傾斜面の上端部に当接すべく当該引出しの枠体に上下動可能に保持された摺接体と、
前記摺接体を上昇方向へ常時付勢する弾発手段と、
前記摺接体に連動連結されたペダルとを有し、
前記ペダルを踏み込んで前記付勢手段に抗して前記摺接体を押し下げると前記傾斜面に対する前記摺接体の当接位置が変化することで当該引出しが押し出されるようにしたことを特徴とするキャビネットの引出し。
【請求項４】
前記摺接体は当該引出しの左右両側面に設けられ且つ連結部材によって互いに連結されており、
前記ペダルは前記連結部材に設けられることを特徴とする請求項３に記載のキャビネットの引出し。
【請求項５】
前記摺接体の前記傾斜面との当接部分に回転体を設けたことを特徴とする請求項１乃至４のいずれかに記載のキャビネットの引出し。
【発明の詳細な説明】
【０００１】
【発明の属する技術分野】
本発明は、キャビネットの最下部に設けられた引出しに関するものである。
【０００２】
【従来の技術】
例えばシステムキッチンのキャビネットにおいて、収納スペースのより一層の拡大を図るために、台輪の部分をも引出しとして利用するようにした構造が提案されている（特開２００１−８７０５９号公報参照）。これら近時普及しているキャビネットの多くは、その前面に取っ手を露出させないデザインが採られることが多く、図４に示したように、最下部の引出し１は、蹴り込み板２の手前側上方に位置するように配置された前面垂直板３の下縁３ｂに指先を掛けて引き出すように構成されることが一般的である。
【０００３】
【発明が解決しようとする課題】
しかるに、キッチンでの作業は基本的に立ち仕事であり、腰をかがめないと引き出すことができない従来の構造は、腰への負担を考えるとあまり好ましいことではない。特に、全閉位置での保持力が加わる機構が組み込まれたものは、引き出す際の起動力も増大するので、こうした操作性の低下要因は極力排除することが望まれる。
【０００４】
本発明は、このような従来技術の問題点を解消すべく案出されたものであり、その主な目的は、操作性を高められるように改良されたキャビネットの引出しを提供することにある。
【０００５】
【課題を解決するための手段】
このような目的を果たすために、本発明においては、前下がりに下方を向く傾斜面（８）を有し、当該引出し（１）の枠体に上下動可能に保持されたカム体（７）と、カム体を上昇方向へ常時付勢する弾発手段（引っ張りコイルばね９）と、カム体に連動連結されたペダル（１１）と、引出しの全閉時に傾斜面の下端部に当接するようにキャビネット本体に移動不能に設けられた摺接体（ローラ１２）とを有し、弾発力に抗してペダルを踏み込んでカム体を押し下げると、傾斜面に対する摺接体の当接位置が変化することで当該引出しが押し出されるようにしたり（請求項１）、前下がりに上方を向く傾斜面（１８）を有し、引出しを前後動可能に支持するキャビネット本体に移動不能に設けられたカム体（１７）と、引出しの全閉時に傾斜面の上端部に当接するように引出しの枠体に上下動可能に保持された摺接体と、摺接体を上昇方向へ常時付勢する弾発手段と、摺接体に連動連結されたペダルとを有し、弾発力に抗してペダルを踏み込んで摺接体を押し下げると、傾斜面に対する摺接体の当接位置が変化することで引出しが押し出されるようにしたりする（請求項３）ものとした。このようにすれば、ペダルの踏み込み操作で引出しが押し出されるので、腰をかがめずに引出しを引き出すことができる。
【０００６】
また、カム体あるいは摺接体を引出しの左右両側面に設け、且つ連結部材によって互いに連結し、ペダルを連結部材に設けるものとすれば、機構を複雑化せずに高い剛性が得られる。
【０００７】
さらに摺接体の傾斜面との当接部分に回転体を設けるものとすれば、高い作動円滑性が得られる。
【０００８】
【発明の実施の形態】
以下に添付の図面を参照して本発明について詳細に説明する。
【０００９】
図１並びに図２は、本発明に基づき構成された引出し１の要部を示している。この引出し１は、図４に示した従来のものと同様に、前面が開放されたキャビネットの最下部に画成された収容スペース内に、キャビネットの側板４の内面と引出し１の側板６の外面との間に設けられた公知のガイド手段（図示せず）をもって、前後に摺動可能に保持されている。
【００１０】
引出し１は、前面、側面、底面、及び背面がそれぞれ塞がれ、上面が開放された周知の引出しと同様の箱状の形態をなしており、前面下部に蹴り込み板２が設けられ、蹴り込み板２の上方であって且つ蹴り込み板２よりも手前側に前面垂直板３が設けられている。そして前面垂直板３の上端縁３ａが引き出し操作時の手掛け部とされている。
【００１１】
引出し１の側面を塞ぐ側板６の前端部には、垂直方向にのみ摺動自在なように適宜なガイド手段を介してカム板７が取り付けられている。このカム板７は、その下部後面に斜め下向きの傾斜面８が形成されると共に、引出しの側板６との間に張設された引っ張りコイルばね９により、常時上向きに弾発付勢されている。
【００１２】
カム板７は引出し１の左右両側に設けられており、その下端部内側面同士間がパイプ材からなる連結バー１０で互いに連結されている。そして連結バー１０の中間部には、前面が開放して足の爪先を差し込めるように構成されたペダル１１が取り付けられている。
【００１３】
キャビネットの側板４の内面には、カム板７の傾斜面８に当接するローラ１２が、移動不能に設けられている。このローラ１２とカム板７との位置関係は、キャビネット内に引出し１を一杯押し込んだ状態、つまり全閉状態で、コイルばね９によって最上位置に引き上げられたカム板７の傾斜面８の下端にローラ１２が当接するように定められている。
【００１４】
引っ張りコイルばね９の付勢力に抗してペダル１１を足の爪先で押し下げると、それに連れてカム板７が下動する（図２参照）。カム板７の傾斜面８は、キャビネットの側板４の内面に設けられて移動し得ないローラ１２に当接しているので、カム板７は自身の下向き移動によって前方へ押し出される。すると、前後方向については実質的に引出し１とカム板７とが一体なので、引出し１は前方へ押し出され、前面垂直板３の上縁３ａとキャビネットの前面との間に隙間が開く。この隙間から手を差し込んで引出し１を引き出す作業が容易に行える。
【００１５】
引出し１を押し込む作業は通常と何ら変わることなく行える。この時、カム板７は上昇しているので、ローラ１２とは干渉しない。
【００１６】
図３は、本発明の第２の実施形態を示している。この実施形態は、前下がりに上方を向く傾斜面１８を有するカム板１７をキャビネットの側板４の内面に固定し、連結バーを兼ねるように金属板をＬ字形に折り曲げたペダル１３の両側端に上下移動板１４を連結し、上下移動板１４の下部後方にローラ１２を取り付けたものである。これの場合、上下移動板１４は、垂直方向にのみ摺動自在なように適宜なガイド手段を介して引出し１の側板６に取り付けられ、且つ引っ張りコイルばね９によって常時上昇方向へ弾発付勢されている。そして本実施形態においては、引出し１の全閉位置で、カム板１７の傾斜面１８の上端にローラ１２が位置するように各部の位置関係が定めてある。
【００１７】
これの場合は、ペダル１３を踏み込むと、上下移動板１４と共にローラ１２が下降する。すると、キャビネットの側板６の内面に固定されたカム板１７の傾斜面１８に沿ってローラ１２が前方へ押し出される。これにより、前後方向についてはローラ１２と一体をなす引出し１が前方へ押し出され、上記第１実施形態と同様に、前面垂直板３の上縁３ａとキャビネットの前面との間に隙間が開くので、この隙間から手を差し込んで引出し１を引き出す作業が容易に行えることとなる。
【００１８】
上記実施例においては、カム板の傾斜面にローラを当接させるものとしたが、これは互いの当接面に、例えばフッ素樹脂などの低摩擦材を介在させるようにすれば、ローラを用いずに構成することもできる。
【００１９】
【発明の効果】
以上詳述した通り本発明によれば、引出し対する開放初期動作をペダル操作で与え、引出しの前面垂直板の上縁に手先を掛ける隙間を開かせることができるので、腰に負担をかけずに最下部の引出しを開放操作することができる。従って、この種のキャビネットの最下部に設けられる引出しの操作性を向上する上に大きな効果を奏することができる。
【図面の簡単な説明】
【図１】本発明による引出しにおけるカム機構取付部の斜視図
【図２】本発明による引出しの要部側面図
【図３】本発明の第２の実施形態を示すカム機構取付部の斜視図
【図４】本発明が適用されるキャビネットの下部引出しの斜視図
【符号の説明】
１  引出し
２  蹴り込み板
３  前部垂直板
４  キャビネットの側板
６  引出しの側板
７・１７  カム板
８・１８  傾斜面
９  引っ張りコイルばね
１０  連結バー
１１・１３  ペダル
１２  ローラ
１４  上下移動板
【図１】
0003593339.tif 000002
【図２】
0003593339.tif 000003
【図３】
0003593339.tif 000004
【図４】
0003593339.tif 000005